(57)【要約】【課題】軽量化及びコンパクト化により容易に運搬でき収納スペースをとらない安全柵を提供する。【解決手段】安全柵１は、安全幕１０をロール状に収納し、安全柵１の使用時に安全幕１０が引出される安全幕収納ポール２と、引出された安全幕１０が定着される定着手段１１を備える安全幕定着ポール３と、各ポール２，３の下端部に嵌め込まれて各ポール２，３を支持するポール支持具４と、各ポール２，３の立込み位置に電磁石１２が配置された位置決めユニット６及び連結ユニット７からなる位置決めシート５と、から構成され、ポール支持具４は、位置決めシート５の電磁石１２の磁力により立込み位置に固定される。【選択図】図１
2011020781.tif 000002
【特許請求の範囲】
【請求項１】
安全幕をロール状に収納し、安全柵の使用時に安全幕が引出される安全幕収納ポールと、
引出された安全幕が定着される定着手段を備える安全幕定着ポールと、
各ポールの下端部に嵌め込まれて各ポールを支持するポール支持具と、
各ポールの立込み位置に電磁石が配置された位置決めシートと、から構成され、
ポール支持具は、位置決めシートの電磁石の磁力により立込み位置に固定されることを特徴とする安全柵。
【請求項２】
請求項１に記載の安全柵であって、安全幕収納ポールは、他の安全幕収納ポールから引出された安全幕を定着する定着手段を備えることを特徴とする安全柵。
【請求項３】
請求項１に記載の安全柵であって、安全幕収納ポールと安全幕定着ポールとの間には、引出された安全幕が接触してその方向を変える中間ポールが備えられることを特徴とする安全柵。
【請求項４】
請求項３に記載の安全柵であって、中間ポールは、安全幕定着ポールの筐体内部に収納されて運搬されることを特徴とする安全柵。
【請求項５】
請求項１乃至４のいずれか１に記載の安全柵であって、位置決めシートは、電磁石が設けられた位置決めユニットと、位置決めユニット同士を連結する連結ユニットとから構成されることを特徴とする安全柵。
【請求項６】
請求項５に記載の安全柵であって、位置決めユニットは、締結具により連結ユニットを所定の位置に固定する締結孔と、締結具により連結ユニットを位置自在に固定する円弧状の締結孔とを有し、連結ユニット同士を所定の角度に連結させることを特徴とする安全柵。
【請求項７】
請求項５に記載の安全柵であって、位置決めユニットは、周辺部に複数の締結孔を有し、連結ユニットを締結具によりいずれかの締結孔に締結させ、連結ユニット同士を所定の角度に連結させることを特徴とする安全柵。
【請求項８】
請求項１乃至７のいずれか１に記載の安全柵であって、特定の位置決めユニットには差込プラグが連結され、電源に差込プラグを差し込むことで、特定の位置決めユニットの電磁石に電力が供給され、他の位置決めユニットの電磁石には、特定の位置決めユニットから連結ユニット内部を貫通して配線されて電力が供給されることを特徴とする安全柵。
【請求項９】
請求項１乃至８のいずれか１に記載の安全柵であって、ポール支持具は、相互に積重ねられて運搬されることを特徴とする安全柵。
【発明の詳細な説明】
【技術分野】
【０００１】
本発明は、安全柵に係り、特に、エスカレータやエレベータの保守点検時に設置される安全柵に関する。
【背景技術】
【０００２】
安全柵とは、乗客の移動手段として使用されるエスカレータやエレベータなどの乗客コンベアについて保守点検などが行われる際に、出入口付近において乗客に対して安全上進入してはならない範囲を明示するために用いられる柵をいう。
【０００３】
図１１に、エスカレータの保守点検時に設置される従来の安全柵の配置の実施例を示す。安全柵３０は、エスカレータ３３の乗降口３４に設けられたランディング・プレート３５を囲うように設置される。そして、ランディング・プレート３５の下部に設置された機械室（図示せず）において保守点検が行われる。
【０００４】
図１２に、従来の安全柵３０の構成を斜視図で示す。安全柵３０は、相互に連結された４個或いは６個のフェンス３１を屏風状に立て込むのが一般的である。そして、安全柵３０は、使用していないときには各フェンス３１を折り畳んで保管する。折り畳まれた状態の一組の安全柵３０は、その高さが約７５０ｍｍであり、その幅が約６８０ｍｍである。また４個のフェンス３１が折り畳まれた状態での安全柵３０の重量は約３．５ｋｇ程度である。
【０００５】
この安全柵３０を運搬する際には、作業員が、４個或いは６個のフェンス３１を折り畳み、その手をフェンス３１の開口部３２に廻して抱え込むようにして運搬するのが一般的である。しかし、安全柵３０は、保守点検時などには複数組使用されるため、一度に複数組の安全柵３０を束ねて運搬しなければならない場合が多い。また、この安全柵３０は、折り畳んだ状態で、例えば、倉庫などの保管場所に保管されるのが一般的である。
【０００６】
この安全柵３０の重量は、運搬することから極力軽くなるように設計されている。しかし、例えば、安全柵３０が地下鉄駅構内のエスカレータの保守点検時に用いられる場合、電車が走行することで発生する風により転倒する場合がある。また、乗客の身体や所持物に触れることで転倒する場合がある。
【０００７】
一方、特許文献１には、運搬等を不要としてエスカレータ停止処理を簡略化するエスカレータの点検用安全柵が開示されている。ここでは、エスカレータの乗降口の床の周辺の一端に主ポールが伸縮自在に挿入される収納箇所が設けられる。そして、点検時には、主ポールがこの収納箇所から引き出され、乗降口の床の周辺を包囲する複数のポールとともに位置決めされる。
【先行技術文献】
【特許文献】
【０００８】
【特許文献１】特開平０８−２６６４６号公報
【発明の概要】
【発明が解決しようとする課題】
【０００９】
従来の安全柵はフェンスを折り畳むことでコンパクト化されているが、作業員が折り畳んだ状態の安全柵を手に抱えて運搬するのは容易でない。さらに、保管する際にスペースが必要となるという問題がある。
【００１０】
また、従来の安全柵は軽量化が図られているが限界があり、作業者は重量のある安全柵の運搬が負担になるという問題がある。
【００１１】
本願の目的は、かかる課題を解決し、軽量化及びコンパクト化により容易に運搬でき収納スペースをとらない安全柵を提供することである。
【課題を解決するための手段】
【００１２】
上記目的を達成するため、本発明に係る安全柵は、安全幕をロール状に収納し、安全柵の使用時に安全幕が引出される安全幕収納ポールと、引出された安全幕が定着される定着手段を備える安全幕定着ポールと、各ポールの下端部に嵌め込まれて各ポールを支持するポール支持具と、各ポールの立込み位置に電磁石が配置された位置決めシートと、から構成され、ポール支持具は、位置決めシートの電磁石の磁力により立込み位置に固定されることを特徴とする。
【００１３】
上記構成により、安全柵は、軽量な安全幕を安全幕収納ポール及び安全幕定着ポールにより張ることができる。また、安全幕はロール状に収納されるためコンパクトとなる。さらに、軽量化及びコンパクト化された安全柵は、位置決めシートに備えられた電磁石による磁力で固定されるため容易に安定させることができる。このように、安全柵を軽量化及びコンパクト化しても、風圧を受ける場合、或いは乗客の身体や所持物が触れた場合であっても安全柵が転倒することを防止できる。
【００１４】
また、安全柵は，安全幕収納ポールが、他の安全幕収納ポールから引出された安全幕を定着する定着手段を備えることが好ましい。これにより、１組の安全幕収納ポールと安全幕定着ポールにより安全幕を張り、それを連結することで全体の安全柵を構成することができる。
【００１５】
また、安全柵は，安全幕収納ポールと安全幕定着ポールとの間には、引出された安全幕が接触してその方向を変える中間ポールが備えられることが好ましい。これにより、１組の安全幕収納ポールと安全幕定着ポール、及び中間ポールにより安全柵を構成することができ、簡易な構成とすることができる。
【００１６】
また、安全柵は，中間ポールが、安全幕定着ポールの筐体内部に収納されて運搬されることが好ましい。これにより、中間ポールを安全幕定着ポールに収納させてコンパクトな状態とし、安全柵を容易に運搬することができる。
【００１７】
また、安全柵は，位置決めシートが、電磁石が設けられた位置決めユニットと、位置決めユニット同士を連結する連結ユニットとから構成されることが好ましい。これにより、安全幕収納ポール、安全幕定着ポール、中間ポールなどのポールを確実に位置決めすることができる。
【００１８】
また、安全柵は，位置決めユニットが、締結具により連結ユニットを所定の位置に固定する締結孔と、締結具により連結ユニットを位置自在に固定する円弧状の締結孔とを有し、連結ユニット同士を所定の角度に連結させることが好ましい。また、安全柵は，位置決めユニットが、周辺部に複数の締結孔を有し、連結ユニットを締結具によりいずれかの締結孔に締結させ、連結ユニット同士を所定の角度に連結させることが好ましい。これらにより、連結ユニット同士の取付け角度を選択でき、安全柵の配置の自由度を上げることができる。
【００１９】
また、安全柵は，特定の位置決めユニットには差込プラグが連結され、電源に差込プラグを差し込むことで、特定の位置決めユニットの電磁石に電力が供給され、他の位置決めユニットの電磁石には、特定の位置決めユニットから連結ユニット内部を貫通して配線されて電力が供給されることが好ましい。これにより、エレベータやエスカレータの保守点検の際には、保守点検の現場に備えられた電源に差込プラグを差し込むだけで電磁石に電力を供給することができる。
【００２０】
さらに、安全柵は，ポール支持具が、相互に積重ねられて運搬されることが好ましい。これにより、ポール支持具をコンパクトに収納でき、安全柵の運搬を容易にできる。
【発明の効果】
【００２１】
以上のように、本発明に係る安全柵によれば、軽量化及びコンパクト化により容易に運搬でき収納スペースをとらない安全柵を提供することが可能となる。
【図面の簡単な説明】
【００２２】
【図１】本発明に係る安全柵の１つの実施形態の概略構成を示す分解斜視図である。
【図２】図１の安全柵を上部から見た平面図である。
【図３】安全幕収納ポール及び安全幕定着ポールの一部断面図を含む側面図、及び定着手段を拡大して示す断面図である。
【図４】安全幕収納ポールの上部の拡大断面図である。
【図５】安全柵の運搬の際に積重ねられるポール支持具を示す断面図である。
【図６】安全柵の運搬の際に積重ねられるポール支持具を示す断面図である。
【図７】位置決めシートの構成の１つの実施例を示す平面図及び断面図である。
【図８】位置決めシートの構成の他の実施例を示す平面図及び断面図である。
【図９】位置決めシートの配置例を示す平面図である。
【図１０】安全柵の他の実施形態の概略構成を示す平面図である。
【図１１】エスカレータの保守点検時に設置される安全柵の配置の実施例を示す平面図である。
【図１２】従来の安全柵の構成を示す斜視図である。
【発明を実施するための形態】
【００２３】
以下に、図面を用いて本発明に係る安全柵の１つの実施形態につき、詳細に説明する。
【００２４】
（安全柵の１つの実施形態の構成）
図１に、安全柵１の１つの実施形態の概略構成を分解した斜視図で示す。また、図２に、図１の安全柵１を上部から見た平面図を示す。さらに、図３（ａ）に図１の安全柵１の側面図（一部断面図）を示す。安全柵１は、安全幕収納ポール２、安全幕定着ポール３、ポール支持具４、位置決めシート５、及び安全幕１０から構成される。すなわち、３本の安全幕収納ポール２及び１本の安全幕定着ポール３が位置決めシート５の上にポール支持具４を介して立込まれる。そして、安全幕収納ポール２及び安全幕定着ポール３の間に、安全幕収納ポール２から引き出された安全幕１０が張られて安全柵１を構成する。
【００２５】
図４に、安全幕収納ポール２の上部を拡大した断面図を示す。図４（ａ）は、安全幕収納ポール２を切断した断面図であり、図４（ｂ）は、図４（ａ）のＡ−Ａ断面である。安全幕収納ポール２は、筐体１３、心棒１４、蓋１６、及び巻上げハンドル１７から構成され、筐体１３の内部にロール状安全幕１５を収納する。安全幕１０は、その一端が筐体１３の内部に設けられた心棒１４に定着される。安全幕１０の他端は、安全幕１０が折り返された幕折返し部２１を有し、さらに幕折返し部２１には２箇所の定着手段１１が取付けられる。そして、安全幕１０は蓋１６に設けられた孔部１８に差し込まれた巻上げハンドル１７を回すことで心棒１４に巻き付けられ、ロール状安全幕１５として安全幕収納ポール２の内部に収納される。この蓋１６は、筐体１３の上端に着脱自在に嵌め込まれる。
【００２６】
本実施形態では、ロール状安全幕１５の機構は、安全柵１の使用時に幕折返し部２１を引くことで引出され、収納時には巻上げハンドル１７を回すことで収納される機構である。この安全幕収納ポール２の内部にばね機構を設け、引き出されたロール状安全幕１５を離すとばねの復元力により自動的に心棒１４に巻き付けられて安全幕収納ポール２の内部に収納する機構としても良い。
【００２７】
図３（ａ）に示すように、安全幕定着ポール３は、中空の管であり、筐体１３及び２箇所の定着手段１１から構成される。図３（ｂ）は、この定着手段１１を拡大して示す断面図である。この引出された安全幕１０が定着される定着手段１１は、安全幕１０側には幕折返し部２１にフック材１９が設けられ、安全幕定着ポール３側にはフック固定具２０が設けられる。そして、フック材１９をフック固定具２０に係止させることで安全幕１０を安全幕定着ポール３に着脱自在に定着させる。この定着手段１１は、図３に示すフック材１９及びフック固定具２０による係止に限らず、安全幕１０を安全幕定着ポール３に着脱自在に定着する他の手段、例えば、締結具による係止手段などであっても良い。
【００２８】
図５に、ポール支持具４の断面図を示す。図５（ａ）は、ポール支持具４の縦方向の断面であり、図５（ｂ）は、図５（ａ）のＢ−Ｂ断面である。ポール支持具４は、ポール収納部２２、積み重ね部２３、及びポール定着部２４から構成される。そして、安全幕収納ポール２及び安全幕定着ポール３などのポールの下部はポール支持具４のポール収納部２２に着脱自在に差し込まれる。従って、ポール収納部２２の内径は、安全幕収納ポール２及び安全幕定着ポール３の外径よりもやや大きい。
【００２９】
図６に、安全柵１の運搬の際に積重ねられるポール支持具４を示す。ポール支持具４ａは、その積み重ね部２３ａの内部に他のポール支持具４ｂを収納する。従って、積み重ね部２３ａの内径は、ポール収納部２２ｂの外径よりもやや大きい。このように、各安全幕収納ポール２及び安全幕定着ポール３などのポールに使用されるポール支持具４を安全柵１の運搬の際に多段に積重ねることで、安全柵１の運搬を容易にすることができる。
【００３０】
図７に、位置決めシート５の構成の１つの実施例を示す。図７（ａ）は位置決めシート５ａの平面図であり、図７（ｂ）は図７（ａ）のＣ−Ｃ断面図である。位置決めシート５ａは、位置決めユニット６ａ及び連結ユニット７ａ，７ｂから構成される。位置決めユニット６ａは円盤状の板材であり内部に位置決めユニット開口部９を有する。連結ユニット７ａ，７ｂは、中空の角材であり、その端部は取付けた際にポール支持具４のポール定着部２４の外形に合わせて円弧状に切断される。一方の連結ユニット７ａは、位置決めユニット６ａに設けられた接続孔２５に挿入される締結具２６により位置決めユニット６ａに固定される。他方の連結ユニット７ｂは、位置決めユニット６ａに設けられた円弧状接続孔２７に挿入される締結具２６により、所定の位置にセットされて位置決めユニット６ａに固定される。本実施形態では、円弧状接続孔２７はほぼ１８０度の範囲の円弧であるが、この角度の範囲はこれに限らない。このように、連結ユニット７ａ及び７ｂとは、位置決めユニット６ａを介して所定の角度を有して接続される。
【００３１】
図８に、位置決めシート５の構成の他の実施例を示す。図８（ａ）は位置決めシート５の平面図であり、図８（ｂ）は図８（ａ）のＤ−Ｄ断面図である。位置決めシート５ｂは、位置決めユニット６ｂ及び連結ユニット７から構成される。位置決めユニット６ｂは円盤状の板材であり、内部に位置決めユニット開口部９を有する。連結ユニット７は、中空の角材である。位置決めユニット６ｂに設けられた接続孔２５に挿入される締結具２６により位置決めユニット６ｂに接続される。位置決めユニット６ｂには、所定の方向に接続孔２５が設けられる。このように、連結ユニット７同士は、位置決めユニット６ａを介して所定の角度を有して接続される。
【００３２】
図９に、位置決めシート５の配置例を示す。図７の構成の場合には、連結ユニット７ｂを連結ユニット７ａに対して所定の角度を選択して取付けることで、多様な位置決めシート５の配置が可能となる。図８の構成の場合には、一方の連結ユニット７を他方の連結ユニット７に対する所定の角度に合った接続孔２５を選択することで、多様な位置決めシート５の配置が可能となる。
【００３３】
図７及び図８に示す位置決めユニット６ａ，６ｂは、安全幕収納ポール２又は安全幕定着ポール３などのポールを立て込む位置に配置される。この位置決めユニット６ａ，６ｂには電磁石１２が配置される。本実施形態では、長方形の電磁石１２が４箇所に配置される。そしてこの電磁石１２の磁力によりポール支持具４が立て掛け位置に固定される。すなわち、４箇所に設置された電磁石１２は、図５に示すように、ポール支持具４のポール定着部２４の裏面を磁力により吸引させ、安全幕収納ポール２又は安全幕定着ポール３などのポールを回転させるモーメントＭに対し、吸引力Ｆ×距離ｄの抵抗モーメントを生じさせる。
【００３４】
特定の位置決めユニット６には、差込プラグ８が接続された分電器３７が位置決めユニット開口部９内に設置される。そして、エスカレータ又はエレベータ周囲に備えられるコンセント（図示せず）に差込みプラグ８を差し込むことで特定の位置決めユニット６の電磁石１２に電力を供給する。また、特定の位置決めユニット６から中空の連結ユニット７に設けられた配線孔２８に配線コード２９を差し込んで貫通させ、他の位置決めユニット６に配線して他の位置決めユニット６の電磁石１２に電力を供給する。また、位置決めユニット６内にバッテリを内蔵させて電磁石１２に電力を供給しても良い。
【００３５】
（安全柵の他の実施形態）
図１０に、安全柵の他の実施形態の概略構成を平面図で示す。本安全柵４０は、安全幕収納ポール４２、安全幕定着ポール４３、中間ポール３６ａ，３６ｂ、ポール支持具４、位置決めシート５、及び安全幕５０から構成される。２個の中間ポール３６ａ，ｂは、管状であり定着手段１１を有さない。そして、安全幕収納ポール４２と安全幕定着ポール４３との間に立て込まれ、引出された安全幕５０が接触してその方向を変える役割を担う。
【００３６】
この構成により、１組の安全幕収納ポール４２と安全幕定着ポール４３、及び中間ポール３６ａ，ｂにより安全柵４０を簡易に構成することができる。また、一方の中間ポール３６ａの外径を他方の中間ポール３６ｂの内径よりも小さくし、他方の中間ポール３６ｂの外径を安全幕定着ポール４３の内径よりも小さくすることで、中間ポール３６ａ，ｂを、図３に示す安全幕定着ポール４３の筐体１３内に収納して運搬することができる。
【符号の説明】
【００３７】
１，３０，４０  安全柵、２，４２  安全幕収納ポール、３，４３  安全幕定着ポール、４ａ，４ｂ  ポール支持具、５ａ，５ｂ  位置決めシート、６ａ，６ｂ  位置決めユニット、７  連結ユニット、８  差込プラグ、９  位置決めユニット開口部、１０，５０  安全幕、１１  定着手段、１２  電磁石、１３  筐体、１４  心棒、１５  ロール状安全幕、１６  蓋、１７  巻上げハンドル、１８  孔部、１９  フック材、２０  フック固定具、２１  幕折返し部、２２  ポール収納部、２３  積み重ね部、２４  ポール定着部、２５  接続孔、２６  締結具、２７  円弧状接続孔、２８  配線孔、２９  配線コード、３１  フェンス、３２  開口部、３３  エスカレータ、３４  乗降口、３５  ランディング・プレート、３６ａ，３６ｂ  中間ポール、３７  分電器。
【図１】
2011020781.tif 000003
【図２】
2011020781.tif 000004
【図３】
2011020781.tif 000005
【図４】
2011020781.tif 000006
【図５】
2011020781.tif 000007
【図６】
2011020781.tif 000008
【図７】
2011020781.tif 000009
【図８】
2011020781.tif 000010
【図９】
2011020781.tif 000011
【図１０】
2011020781.tif 000012
【図１１】
2011020781.tif 000013
【図１２】
2011020781.tif 000014